(57)【要約】      （修正有）【課題】使用していない室内機器を家具で覆い、室内機器を使用するときには家具を移動して室内機器を露出させることができる室内機器収納構造を提供する。【解決手段】室内機器収納構造は、室内の隅部に設置した室内機器と、少なくとも底面と一側面とに開口部を有し、室内機器を該開口部から内部に収納可能な収納部４と、収納部４の背面に取り付けられ室内の一壁面側である背面側壁面５に設けられた案内レール６に係合する車輪７とが設けられ底部にキャスタ８が設けられた家具３とを備える。さらに、家具３は、キャスタ８が床面に当接し車輪７が案内レール６に案内された状態で移動して、収容部４が室内機器を覆い隠し、覆い隠した室内機器を露出させるので、室内機器を使用しないときには室内機器を家具３で覆い、室内機器を使用するときには家具３を移動させて室内機器を露出させることができる。【選択図】図４
0003169333.tif 000002
【実用新案登録請求の範囲】
【請求項１】
室内の隅部に設置した室内機器と、
少なくとも底部と一側面とに開口部を有し、室内機器を該開口部から内部に収納可能な収納部と、収納部の背面側に取り付けられ室内の一壁面側に設けられた案内レールに係合する係合部とが設けられ底部に車輪が設けられた家具とを備え、
家具は、車輪が床面に当接し係合部が案内レールに案内された状態で移動して、収容部が室内機器を覆い隠し、覆い隠した室内機器を露出させることを特徴とする室内機器収納構造。
【考案の詳細な説明】
【技術分野】
【０００１】
本考案は、便器、洗濯機または冷蔵庫などの室内機器が使用されないときには室内機器を家具で覆い、室内機器を使用するときには家具を移動させて室内機器を露出させる室内機器収納構造に関する。
【背景技術】
【０００２】
特許文献１には、ワンルームマンションなどの小規模住宅の限られた空間に設置されるシステム家具が記載されている。システム家具は多種類の機能が組み合わされた多機能集約型の家具である。システム家具として、たとえば浴槽と便器と簡易洗面台とを備えた３点式のユニットバスが設けられる。
【先行技術文献】
【特許文献】
【０００３】
【特許文献１】特開平１１−２２５８３７号公報
【考案の概要】
【考案が解決しようとする課題】
【０００４】
高齢者介護施設などでは、戸別に浴槽を設けない場合がある。このような場合には、便器や簡易洗面台などを部屋の内部に設置して、ユニットバスが設けられるスペースを部屋に取り込んで部屋の空間を広く取ることができる。洗濯機や冷蔵庫などについても部屋の内部に設置した場合には部屋の空間を広く取ることができるが、使用していない便器、洗濯機または冷蔵庫などの室内機器は人目に付かないようにしたい。
【０００５】
本考案の目的は、使用していない室内機器を家具で覆い、室内機器を使用するときには家具を移動して室内機器を露出させることができる室内機器収納構造を提供することである。
【課題を解決するための手段】
【０００６】
請求項１に記載の考案は、室内の隅部に設置した室内機器と、少なくとも底部と一側面とに開口部を有し、室内機器を該開口部から内部に収納可能な収納部と、収納部の背面側に取り付けられ室内の一壁面側に設けられた案内レールに係合する係合部とが設けられ底部に車輪が設けられた家具とを備え、家具は、車輪が床面に当接し係合部が案内レールに案内された状態で移動して、収容部が室内機器を覆い隠し、覆い隠した室内機器を露出させるものである。
【考案の効果】
【０００７】
請求項１の考案によれば、家具は、車輪が床面に当接し係合部が案内レールに案内された状態で移動することができるので、使用していない室内機器を家具で覆い、室内機器を使用するときには家具を移動して室内機器を露出させることができる。
【図面の簡単な説明】
【０００８】
【図１】一実施の形態に係る洋式水洗便器が露出した室内機器収納構造の斜視図である。
【図２】家具の一側面側の開口部を示す斜視図である。
【図３】洋式水洗便器が家具で覆われた室内機器収納構造の斜視図である。
【図４】家具の断面図である。
【考案を実施するための形態】
【０００９】
以下、本考案の第１の実施の形態について図１〜図４に基づいて説明する。図１は一実施の形態に係る洋式水洗便器２が露出した室内機器収納構造１の斜視図である。図２は、家具３の一側面側に形成され、洋式水洗便器２を収納する開口部を示す斜視図である。図３は、洋式水洗便器２が家具３で覆われた室内機器収納構造１の斜視図である。図４は、家具３の断面図である。
【００１０】
室内機器収納構造１は、洋式水洗便器２と家具３とを備える。家具３は、洋式水洗便器２を収納可能な収納部４と、室内の背面側壁面５に設けられた案内レール６に係合する係合部である車輪７とを備え、底部にキャスタ８が設けられる。家具３は、収納部４の上部に洗面台９を備える。
【００１１】
洋式水洗便器２は、洋式水洗便器２の背面側に位置する背面側壁面５と、洋式水洗便器２の一側面側に位置する一側面側壁面１０とで形成される隅部に設置される。使用者は背面側壁面５を背にして洋式水洗便器２に着座する。洋式水洗便器２の一側面側とは反対側の他側面側の床面には、空気清浄機１２が設置される。
【００１２】
収納部４は箱状に形成され、一側部と底部と後部とが開口している。収納部４の前部は平板１６で覆われており、他側部の前部には収納棚１８が設けられる。収納棚１８の開口部には扉１９が設けられる。
【００１３】
収納部４の背面上部に設けられる車輪７は、水平方向に複数個取り付けられ、背面側壁面５に水平方向に設けられた案内レール６に案内される。案内レール６は長尺の板状に形成されており、上部に車輪７が係合する溝部２２が形成される。収納部４は、車輪７が溝部２２に係合して、背面側壁面５に沿って移動可能である。収納部４の前面下部と収納棚１８の底板部とには複数個の車輪であるキャスタ８が設けられている。キャスタ８は床面に当接する。
【００１４】
収納部４の上部平板２４に設置される洗面台９には、図示しない給水管と排水管とが接続されるが、この給水管と排水管とは、洗面台９が設置された家具３が洋式水洗便器２を覆い隠し、覆い隠した洋式水洗便器２を露出させるために移動することができるように余裕を持った長さとされる。なお、本実施の形態においては、家具３の上部に洗面台９に隣接してテレビ２５などが設けられる。
【００１５】
図１は、洋式水洗便器２を使用するために、家具３を洋式水洗便器２の他側面側に移動させて、洋式水洗便器２を露出された状態を示す。図２に示すように、空気清浄機１２の吹き出し口２６は、家具３の一側面側開口部に位置して、洋式水洗便器２に臨んでいる。家具３を固定するために、たとえば案内レール６の長手方向両サイドにストッパー機構を取り付けることができる。あるいは収納部４の前部平板１６にストッパーボタンを取り付け、このストッパーボタンの作動によって車輪７を固定することもできる。
【００１６】
図３は家具３が洋式水洗便器２を覆った状態を示す。この状態では、家具３の一側面側開口部が一側面側壁面１０に当接して、洋式水洗便器２は家具３に覆われて収納部４に収容されている。このとき洋式水洗便器２の他側面側に隣接して設置された空気清浄機１２は、収納棚１８の後部に形成された空間に収納される。家具３は、案内レール６の長手方向両サイドに設けられたストッパー機構、または、収納部４の前部平板１６に設けられたストッパーボタンの作動によって固定される。
【００１７】
本実施の形態では、洋式水洗便器２を室内に設置した場合に、洋式水洗便器２が使用されないときには洋式水洗便器２を家具で覆い、洋式水洗便器２が使用されるときには家具を移動させて洋式水洗便器２を露出させることについて説明したが、室内に設置される室内機器は、洋式水洗便器２に限定されるものではない。たとえば、部屋の外に独立して設置される洗濯機や、台所に設置される冷蔵庫などを室内機器として設置して、洗濯機や冷蔵庫などが使用されないときには洗濯機や冷蔵庫などを家具で覆い、洗濯機や冷蔵庫などが使用されるときには家具を移動させて洗濯機や冷蔵庫などを露出させることもできる。この場合にも洗濯機または冷蔵庫が設置されるスペースを部屋の空間として取り込んで部屋の空間を広く取ることができる。
【００１８】
使用者が家具３を人力で移動させる場合について説明したが、これに限定されるものではなく、たとえばモーターを用いて家具３を駆動することもできる。この場合には、背面側壁面５に取り付けた図示しないリミットスイッチによって、家具３を固定するストッパーを駆動することができる。
【００１９】
このように、室内の隅部１１に設置した室内機器と、少なくとも底面と一側面とに開口部を有し、室内機器を該開口部から内部に収納可能な収納部４と、収納部４の背面に取り付けられ室内の一壁面側である背面側壁面５に設けられた案内レール６に係合する車輪７とが設けられ底部にキャスタ８が設けられた家具３とを備え、家具３は、キャスタ８が床面に当接し車輪７が案内レール６に案内された状態で移動して、収容部４が室内機器を覆い隠し、覆い隠した室内機器を露出させるので、室内機器を使用しないときには室内機器を家具３で覆い、室内機器を使用するときには家具３を移動させて室内機器を露出させることができる。
【符号の説明】
【００２０】
１    室内機器収納構造
２    洋式水洗便器
３    家具
４    収納部
５    背面側壁面
６    案内レール
７    車輪
８    キャスタ
９    洗面台
１０    一側面側壁面
１２    空気清浄機
１６    平板
１８    収納棚
１９    扉
２２    溝部
２４    平板
２５    テレビ
２６    吹き出し口
【図１】
0003169333.tif 000003
【図２】
0003169333.tif 000004
【図３】
0003169333.tif 000005
【図４】
0003169333.tif 000006